(57)【要約】【課題】コンテンツに発生した再生異常個所を再現可能な形式で取得する映像再生装置を提供する。【解決手段】コンテンツを再生する再生手段と、前記コンテンツに再生異常個所がある場合、前記再生手段で前記コンテンツの再生中に前記再生異常個所の前後の位置を指定する入力手段と、前記入力手段で指定された範囲の映像データ及び音声データを記録データとして再現可能な形式で収集する収集手段と、前記収集手段で収集した前記記録データを記録するために出力する出力手段とを有する。【選択図】    図３
2011130296.tif 000002
【特許請求の範囲】
【請求項１】
コンテンツを再生する再生手段と、
前記コンテンツに再生異常個所がある場合、前記再生手段で前記コンテンツの再生中に前記再生異常個所の前後の位置を指定する入力手段と、
前記入力手段で指定された範囲の映像データ及び音声データを記録データとして再現可能な形式で収集する収集手段と、
前記収集手段で収集した前記記録データを記録するために出力する出力手段と、
を有することを特徴とする映像再生装置。
【請求項２】
記録された前記記録データをネットワークを介して伝送する伝送手段とを有することを特徴とする請求項１記載の映像再生装置。
【請求項３】
前記出力手段は、前記記録データを記憶媒体に記録するために出力することを特徴とする請求項１記載の映像再生装置。
【請求項４】
前記収集手段は、前記記録データをスクリーンショットの形式で収集することを特徴とする請求項１記載の映像再生装置。
【請求項５】
前記収集手段は、前記記録データをデコード済みの音声データの形式で収集することを特徴とする請求項１記載の映像再生装置。
【請求項６】
前記再生手段は、前記入力手段による前記記録データの再生に基づいて、前記記録データを再生することを特徴とする請求項１記載の映像再生装置。
【請求項７】
コンテンツを再生し、
前記コンテンツに再生異常個所がある場合、前記コンテンツの再生中に前記再生異常個所の前後の位置を指定し、
指定された範囲の映像データ及び音声データを記録データとして再現可能な形式で収集し、
収集した前記記録データを記録するために出力する、
ことを特徴とするデータ記録方法。
【請求項８】
コンテンツを再生し、
前記コンテンツに再生異常個所がある場合、前記コンテンツの再生中に前記再生異常個所の前後の位置を指定し、
指定された範囲の映像データ及び音声データを記録データとして再現可能な形式で収集し、
前記記録データをネットワークを介して前記記録データの前記再生異常個所を解析するサーバに送信し、
前記サーバから前記再生異常箇所における解析結果を受信する、
ことを特徴とするデータ伝送方法。
【発明の詳細な説明】
【技術分野】
【０００１】
この発明は、コンテンツの再生異常発生箇所を取得する技術に関する。
【背景技術】
【０００２】
周知のように、近年では、映像再生装置の高機能化、多機能化が進んできる。例えば、映像再生装置は、地上デジタル放送の放送信号を選局するチューナで受信したコンテンツを記録する機能を有する。また、映像再生装置は、各種媒体に録画／再生する機能も有する。さらに、映像再生装置は、ネットワークを介してコンテンツを取得し、再生する機能も有する。このような映像再生装置は、取得したコンテンツをデコードし、映像をモニタに出力している。
【０００３】
特許文献１には、制御用コンピュータが、入力された映像信号を画像認識によって監視し、シーンの変化点とノイズを検出し、検出した画像のデータをファイルに保持する構成が開示されている。
【先行技術文献】
【特許文献】
【０００４】
【特許文献１】特開２００５−２４５０１１号公報
【発明の概要】
【発明が解決しようとする課題】
【０００５】
しかしながら、特許文献１は、ノイズ検出された画像を保持しているが、ユーザが視聴した中でノイズにより映像の異常部分を実映像情報または実音声情報としてそのまま記録することができない。つまり、特許文献１は、ユーザが視聴した時の主観で異常発生箇所と判断した部分を取得することはできない。
【０００６】
そこで、この発明は、コンテンツに発生した再生異常発生個所を再現可能な形式で取得する映像再生装置を提供することを目的とする。
【課題を解決するための手段】
【０００７】
本発明に係る映像再生装置は、コンテンツを再生する再生手段と、前記コンテンツに再生異常個所がある場合、前記再生手段で前記コンテンツの再生中に前記再生異常個所の前後の位置を指定する入力手段と、前記入力手段で指定された範囲の映像データ及び音声データを記録データとして再現可能な形式で収集する収集手段と、前記収集手段で収集した前記記録データを記録するために出力する出力手段と、を有する。
【発明の効果】
【０００８】
上記した発明によれば、コンテンツに発生した再生異常発生個所を再現可能な形式で取得できる。
【図面の簡単な説明】
【０００９】
【図１】実施形態に係る映像再生装置の構成を示すブロック図。
【図２】実施形態に係る映像再生装置による録画データの伝送の流れを概略的に示す図。
【図３】実施形態に係る記録データの構成及びコンテンツの再生時におけるユーザの操作を示す図。
【図４】実施形態に係る記録データの取得及び伝送の流れを示すシーケンス図。
【発明を実施するための最良の形態】
【００１０】
以下、実施形態について図面を参照して説明する。図１は、実施形態に係る映像再生装置１の構成を示すブロック図である。地上波放送受信用のアンテナ２０１で受信した地上デジタルテレビジョン放送信号は、入力端子１０１を介して地上デジタル放送チューナ１０２に供給される。地上デジタル放送チューナ１０２は、ユーザが所望するチャンネルの放送信号を切り替えて選局する。地上デジタル放送チューナ１０２で選局された放送信号は、ＯＦＤＭ（orthogonal frequency division multiplexing）復調モジュール１０３に供給されて、デジタルの映像信号及び音声信号に復調された後、信号処理モジュール１０４に出力される。
【００１１】
信号処理モジュール１０４は、ＯＦＤＭ復調モジュール１０３から供給されたデジタルの映像信号及び音声信号に対して、選択的に所定のデジタル信号処理を施し、グラフィック処理モジュール１０５及び音声処理モジュール１０６に出力している。
【００１２】
このうち、グラフィック処理モジュール１０５は、信号処理モジュール１０４から供給されるデジタルの映像信号に、ＯＳＤ（on screen display）信号生成モジュール１０７で生成されるＯＳＤ信号を重畳して出力する機能を有する。このグラフィック処理モジュール１０５は、信号処理モジュール１０４の出力映像信号と、ＯＳＤ信号生成モジュール１０７の出力ＯＳＤ信号とを選択的に出力すること、また、両出力をそれぞれ画面の半分を構成するように組み合わせて出力することができる。
【００１３】
グラフィック処理モジュール１０５から出力されたデジタルの映像信号は、映像処理モジュール１０８に供給される。映像処理モジュール１０８により処理された映像信号は、出力端子１０９に供給される。出力端子１０９に供給された映像信号は、映像再生装置１に接続されたモニタ２０２へ入力される。
【００１４】
また、上記音声処理モジュール１０６は、入力されたデジタルの音声信号を、出力端子１１０を介して映像再生装置１に接続されたスピーカ２０３へ入力される。
【００１５】
ここで、この映像再生装置１は、上記した各種の受信動作を含むその全ての動作を制御モジュール１１１によって統括的に制御されている。この制御モジュール１１１は、ＣＰＵ（central processing unit）等を内蔵しており、操作モジュール１１２からの操作情報、または、リモートコントローラ２０４から送出され受光モジュール１１３を介して受信した操作情報を受けて、その操作内容が反映されるように各モジュールをそれぞれ制御している。ここでは、操作モジュール１１２またはリモートコントローラ２０３のように、ユーザがボタンを押下することにより操作可能な入力機能をＧＵＩ(Graphical user interface)モジュール１０と総称する。
【００１６】
制御モジュール１１１は、主として、そのＣＰＵが実行する制御プログラムを格納したＲＯＭ（read only memory）１１４と、該ＣＰＵに作業エリアを提供するＲＡＭ（random access memory）１１５と、各種の設定情報及び制御情報等が格納される不揮発性メモリ１１６とを利用している。
【００１７】
信号処理モジュール１０４には、ＨＤＤ（hard disk drive）１１７が接続されている。ＨＤＤ１１７は、地上デジタル放送チューナ１９で選局した放送信号のコンテンツの映像信号及び音声信号を記録する。また、ＨＤＤ１１７は、後述する通信Ｉ／Ｆ(Interface)１１９でネットワークを介して受信したコンテンツも記録できる。信号処理モジュール１４には、ディスクドライブ１１８が接続されている。ディスクドライブ１１８は、光ディスク２０５を回転駆動し、情報の読み書きを実行する。光ディスク２０５は、ビデオファイルを構築できる情報記録媒体である。光ディスク２０５は、例えば、ＤＶＤ(Digital versatile disc)である。
【００１８】
また、制御モジュール１１１は、通信Ｉ／Ｆ１１９を介してＬＡＮ端子１２０と接続されている。これにより、制御モジュール１１１は、ネットワークを介してデータを伝送できる。さらに、制御モジュール１１１は、ＨＤＭＩ（High definition multimedia interface） Ｉ／Ｆ１２１を介してＨＤＭＩ端子１２２と接続されている。これにより、制御モジュール１１１は、ＨＤＭＩ端子１２２に接続された各機器と、ＨＤＭＩ Ｉ／Ｆ１２１を介してデータを伝送できる。制御モジュール１１１は、ＵＳＢ Ｉ／Ｆ１２３を介してＵＳＢ端子１２３と接続されている。これにより、制御モジュール１１１は、ＵＳＢ端子１２４に接続された各機器と、ＵＳＢ Ｉ／Ｆ１２３を介してデータを伝送できる。
【００１９】
図２は、実施形態に係る映像再生装置１による録画データの伝送の流れを概略的に示す図である。はじめに、映像再生装置１のＧＵＩモジュール１０、制御モジュール１１１の動作を説明する。ＧＵＩモジュール１０は、操作入力、及び記録開始ポイント／記録終了ポイントの設定、記録開始指示、記録内容の確認機能を有する。制御モジュール１１１は、データ収集モジュール１１１ａ及び記録データ入出力モジュール１１１ｂを備える。
【００２０】
はじめに、ユーザは、ＧＵＩモジュール１０を用いてコンテンツの再生を入力する。ここで映像再生装置１で再生するコンテンツは、ディスクドライブ１１８でディスク２０５から読み取ったコンテンツ、通信Ｉ／Ｆ１１９を介して取得したネットワーク上で配信されているコンテンツのいずれであってもよい。ネットワーク上で配信されているコンテンツは、映像再生装置１のＨＤＤ１１７に保存できるコンテンツであってもストリーミング再生コンテンツであってもよい。
【００２１】
ユーザは、再生したコンテンツをモニタ２０２及びスピーカ２０３で視聴して、映像または音声に異常がないかどうか判断する。映像の乱れまたは音声のノイズなど再生異常が発生した場合、ユーザは、再度ＧＵＩモジュール１０を用いて、コンテンツの再生を入力する。ユーザは、映像及び音声を視聴しながら、ＧＵＩモジュール１０を用いて、そのコンテンツにおける再生異常発生箇所の開始位置を記録開始ポイントとして、終了位置を記録終了ポイントとして設定する。
【００２２】
次に、ユーザは、記録開始ポイントから記録終了ポイントまでの区間のコンテンツを後述する外部記録装置３で記録するために記録開始指示をＧＵＩモジュール１０を用いて入力する。
【００２３】
データ収集モジュール１１１ａは、記録開始ポイントから記録終了ポイントまでの区間のコンテンツにおける、再生映像のスクリーンショット(画面に出力される静止画)データ生成機能、再生音声の音声データ生成機能を備えている。データ収集モジュール１１１ａは、モニタ２０２及びスピーカ２０３で再生している映像及び音声に変換を加えない形式（再現可能な形式）の記録データを生成する。ここでは、スクリーンショットデータを記録データとしているが、動画データであってもよい。
【００２４】
したがって、データ収集モジュール１１１ａは、ＧＵＩモジュール１０で入力された記録開始指示に基づいて、記録データとしてスクリーンショットデータ及び音声データを生成する。データ収集モジュール１１１ａは、記録データを不揮発性メモリ１１６に一時的に記録する。
【００２５】
データ入出力モジュール１１１ｂは、例えばＨＤＭＩ Ｉ／Ｆ１２２を介して接続された外部記憶装置３でディスク、メモリカードなどの記憶媒体に記録データを保存する機能を備える。さらに、データ入出力モジュール１１１ｂは、ＧＵＩモジュール１０による読み出し指示により、外部記憶装置３に保存された記録データを読み出す機能を備える。
【００２６】
また、データ入出力モジュール１１１ｂは、通信Ｉ／Ｆ１１９からネットワークを介して記録データを製造元４のサーバに伝送する機能を備えている。つまり、記録データは、ネットワークを介して、対応するコンテンツの製造元４のサーバに伝送される。データ入出力モジュール１１１ｂは、ネットワークを介して記録データを製造元４のサーバに伝送する場合、記録データを暗号化する。したがって、記録データのセキュリティ面が保たれる。また、ユーザは、記録データが記録されている記憶媒体そのものを製造元４に提供するようにしてもよい。
【００２７】
ここでは、データ入出力モジュール１１１ｂが映像再生装置１に接続された外部記録装置３を用いて記憶媒体に記録データを記録しているがこれに限られない。例えば、データ入出力モジュール１１１ｂは、記録データを記憶媒体に記録することなく、不揮発性メモリ１１６に記録されている記録データを用いて、ネットワークを介して製造元４のサーバに伝送するようにしてもよい。また、データ入出力モジュール１１１ｂは、映像再生装置１に内蔵されているディスクドライブ１１８を用いて記録データを記憶媒体（光ディスク２０５）に記録するようにしてもよい。
【００２８】
図３は、実施形態に係る記録データの構成及びコンテンツに対するユーザの操作を示す図である。横軸は、コンテンツの再生時間を示している。ユーザは、再生異常発生箇所の直前にＧＵＩモジュール１０を用いて記録開始ポイントを設定する。同様にユーザは、再生異常発生箇所を通過した時点で記録停止ポイントを設定する。データ収集モジュール１１１ａで生成される記録データは、記録開始ポイントから記録停止ポイントまでの区間における連続したスクリーンショットの形態と、デコード済みの音声データ(ＰＣＭ(Pulse code modulation)データなど)の形態で構成されている。この記録データは、再生異常発生箇所が含まれた状態で生成される。
【００２９】
図４は、ユーザが再生異常を発見した時の再生異常発生箇所における記録データの取得及び記録データの提供の流れを示すシーケンス図である。
【００３０】
はじめに、ユーザは、ＧＵＩモジュール１０を用いてコンテンツの再生を入力する。映像または音声に再生異常が発生した場合、ユーザは、再度ＧＵＩモジュール１０を用いて、再生異常発生箇所の直前からコンテンツの再生を入力する。制御モジュール１１１は、モニタ２０２及びスピーカ２０３で記録データを再生するように制御する。制御モジュール１１１は、コンテンツの再生手段として機能する。
【００３１】
ユーザは、モニタ２０２に表示されている映像を視聴しながら、ＧＵＩモジュール１０を用いて、そのコンテンツにおける再生異常発生箇所の開始位置を記録開始ポイントとして、終了位置を記録終了ポイントとして設定する。ＧＵＩモジュール１０は、入力手段として機能する。その後ユーザは、ＧＵＩモジュール１０を用いて、コンテンツの再生の停止を入力する。
【００３２】
次に、ユーザは、外部記録装置３に記憶媒体を挿入する。ユーザは、その後、記録開始ポイントから記録終了ポイントまでの区間のコンテンツを外部記録装置３で記憶媒体に記録するために記録開始指示をＧＵＩモジュール１０を用いて入力する。
【００３３】
記録開始指示を受信けた映像再生装置１のデータ収集モジュール１１１ａは、コンテンツから記録データの採取を開始する。データ収集モジュール１１１ａは、記録データとしてスクリーンショット及び音声データを収集する。データ入出力モジュール１１１ｂは、外部記憶装置３に挿入された記憶媒体に対して記録データの保存を開始する。データ入出力モジュール１１１ｂは、記録データの記録媒体への出力手段として機能する。データ入出力モジュール１１１ｂは、外部記憶装置３から記憶媒体への記録データの保存完了を示す信号を受信すると、記録データの保存を終了する。
【００３４】
次に、ユーザは、記憶媒体に保存された記録データの内容を確認するために、ＧＵＩモジュール１０を用いて記憶媒体からの記録データの読み出しを入力する。データ入出力モジュール１１１ｂは、外部記憶装置３に挿入された記憶媒体に保存されている記録データを参照する。データ入出力モジュール１１１ｂは、外部記憶装置３に挿入された記憶媒体に保存されている記録データを取得する。そして、制御モジュール１１１は、モニタ２０２及びスピーカ２０３で記録データを再生するように制御する。
【００３５】
ユーザは、再生異常発生箇所を含んだ記録データが確実に記憶媒体に保存されていることを確認すると、記録データにおける再生異常の現象を解析してもらうために次の２つの方法で製造元４に記録データを提供できる。
【００３６】
１つ目は、ネットワーク転送による記録データの提供である。ユーザは、ＧＵＩモジュール１０を用いて記憶媒体に保存されている記録データの転送先を入力する。ここでは、例えば、製造元４のサーバのネットワーク上のアドレスである。次に、ユーザは、ＧＵＩモジュール１０を用いて記録データの転送開始を入力する。データ入出力モジュール１１１ｂは、外部記憶装置３に挿入された記憶媒体に保存されている記録データを参照して取得する。
【００３７】
データ入出力モジュール１１１ｂは、通信Ｉ／Ｆ１１９からネットワークを介して記録データを製造元４のサーバに伝送する。データ入出力モジュール１１１ｂは、記録データの製造元４への伝送手段として機能する。制御モジュール１１１は、記録データの転送が完了すると、例えばモニタ２０２に転送完了を示す情報を表示するように制御する。
【００３８】
２つ目は、記憶媒体による記録データの提供である。ユーザは、外部記憶装置３から記録データが保存された記憶媒体を取り出す。その後、ユーザは、記憶媒体そのものを解析の依頼先である製造元４に提供する。
【００３９】
製造元４は、ネットワークを介して取得した記録データ及び記憶媒体の提供による記録データに対して、提供された記録データについての不具合現象を解析する。製造元４は、不具合現象の解析結果をネットワークを介して映像再生装置１に転送する。製造元４は、不具合現象の解析結果として、不具合現象の内容と共に、例えば、コンテンツのアップグレード版そのものであったり、アップグレード版を映像再生装置１でネットワークを介して取得するためのＵＲＩ（Uniform resource identifier）情報を映像再生装置１に転送してもよい。また、製造元４は、不具合現象の解析結果をユーザに直接報告することもできる。製造元４はネットワークを介して取得した記録データに対して不具合現象の解析をサーバで上記のように実行し、ネットワークを介して解析結果を映像再生装置１に転送するようにしてもよい。
【００４０】
本実施形態によれば、ユーザが再生中のコンテンツに発生した映像または音声の不具合箇所の範囲を選択することで、その不具合部分を再現可能な形式で記録データとして外部記憶装置３に挿入された記憶媒体に保存できる。ユーザは、記録データをネットワークまたは記録媒体そのものによって簡単に製造元４に提供できる。ユーザは、コンテンツそのもの、つまりコンテンツを保存する映像再生装置１またはディスク２０５を回収して製造元４に提供する必要がなくなる。
【００４１】
記録データには再現可能な形式で不具合部分が記録されているため、製造元４は、記録データから、ユーザの使用環境（コンテンツの再生環境）で発生した不具合現象を実際に確認することができる。したがって、本実施形態によれば、ユーザの利便性を損なうことなく、コンテンツの不具合現象を解析できる構成を提供できる。
【００４２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００４３】
１…映像再生装置、３…外部記録装置、１０…ＧＵＩモジュール、１１１…制御モジュール、１１１ａ…データ収集モジュール、１１１ｂ…記録データ入出力モジュール、１１７…ＨＤＤ、１１９…通信Ｉ／Ｆ、１１８…ディスクドライブ、２０５…光ディスク。
【図１】
2011130296.tif 000003
【図２】
2011130296.tif 000004
【図３】
2011130296.tif 000005
【図４】
2011130296.tif 000006